(57)【要約】【課題】吸収性物品としての止着式の使い捨て紙おむつにおいて、止着部の強度を向上させるとともに、止着位置の調整可能範囲の拡大を図る。【解決手段】人体の腹側に位置する腹側部１１と背側に位置する背側部１２とを有する本体部１０と、背側部１２の両側方に延出する一対の止着部２０、２０と、腹側部１２の外面に設けられ、一対の止着部２０、２０が着脱自在に止着される被止着部３０と、を備える止着式の使い捨て紙おむつ１であって、一対の止着部２０、２０の各々は、第１止着シート２１と、この第１止着シート２１の上面側に位置する第２止着シート２２と、を備え、第１止着シート２１と第２止着シート２２とが別々に被止着部３０に止着される。【選択図】図１
2010220646.tif 000002
【特許請求の範囲】
【請求項１】
人体の腹側に位置する腹側部と背側に位置する背側部とを有する本体部と、前記背側部の両側方に延出する一対の止着部と、前記腹側部の外面に設けられ、前記一対の止着部が着脱自在に止着される被止着部と、を備える吸収性物品であって、
前記一対の止着部の各々は、第１止着シートと、この第１止着シートの外面側に位置する第２止着シートと、を備え、
前記第１止着シートと前記第２止着シートとが別々に前記被止着部に止着されることを特徴とする吸収性物品。
【請求項２】
前記第１止着シートは、前記第２止着シートよりも柔軟な素材からなることを特徴とする請求項１に記載の吸収性物品。
【請求項３】
前記第２止着シートは、長手方向に伸縮性を有することを特徴とする請求項１又は２に記載の吸収性物品。
【請求項４】
前記第１止着シートの前記被止着部への止着強度は、前記第２止着シートの前記被止着部への止着強度よりも弱いことを特徴とする請求項１〜３の何れか一項に記載の吸収性物品。
【請求項５】
前記止着部が上下並列に複数連結して備えられ、各止着部同士は切り離し可能となっていることを特徴とする請求項１〜３の何れか一項に記載の吸収性物品。
【請求項６】
前記止着部の各々は、前記第１止着シート１つに対して、複数の前記第２止着シートを備えて成ることを特徴とする請求項１〜３に記載の吸収性物品。
【発明の詳細な説明】
【技術分野】
【０００１】
本発明は、吸収性物品に関する。
【背景技術】
【０００２】
近年、リハビリなどを目的として、おむつ着用者に自立しておむつ交換を促す傾向があり、着用者自身が自らおむつ交換行う機会が増えている。
従来より、使い捨て紙おむつの１つとして、人体の腹側に位置する腹側部と背側に位置する背側部とを有する本体部と、本体部の両側方から延出する一対の止着部と、一対の止着部が着脱自在に止着される被止着部と、が備えられた止着式の使い捨て紙おむつが知られている。
具体的に、例えば、特許文献１には、止着式の使い捨て紙おむつにおいて、第１係止部がテープ先端に配され、第２係止部が第１係止部よりもテープ基端側において、テープ先端側に向かって凸形状をなす切り込み線により形成される摘み片に配された止着テープ（止着部）を備えた構成について開示されている。
【先行技術文献】
【特許文献】
【０００３】
【特許文献１】特開２００８−１６１４８１号公報
【発明の概要】
【発明が解決しようとする課題】
【０００４】
しかしながら、上記特許文献１の止着式の使い捨ておむつにおいて、第２係止部は、テープ基材に切り込みを入れて形成した摘み片に設けられているため、テープ基材に開口部ができることとなって、テープ基材全体の強度が低下してしまうという問題があった。
そこで、例えば、テープ基材の強度を上げるため厚手のものを使用すると、一枚のテープ基材中に第１係止部と第２係止部を成す構成であるため、装着感やフィット性が悪くなったり、止着位置の調整可能範囲が狭くなったりするという問題があった。
【０００５】
本発明の課題は、吸収性物品において、止着部の強度を向上させるとともに、止着位置の調整可能範囲の拡大を図ることである。
【課題を解決するための手段】
【０００６】
前記課題を解決するために、請求項１に記載の発明は、
人体の腹側に位置する腹側部と背側に位置する背側部とを有する本体部と、前記背側部の両側方に延出する一対の止着部と、前記腹側部の外面に設けられ、前記一対の止着部が着脱自在に止着される被止着部と、を備える吸収性物品であって、
前記一対の止着部の各々は、第１止着シートと、この第１止着シートの外面側に位置する第２止着シートと、を備え、
前記第１止着シートと前記第２止着シートとが別々に前記被止着部に止着されることを特徴とする。
【０００７】
請求項２に記載の発明は、請求項１に記載の吸収性物品において、
前記第１止着シートは、前記第２止着シートよりも柔軟な素材からなることを特徴とする。
【０００８】
請求項３に記載の発明は、請求項１又は２に記載の吸収性物品において、
前記第２止着シートは、長手方向に伸縮性を有することを特徴とする。
【０００９】
請求項４に記載の発明は、請求項１〜３の何れか一項に記載の吸収性物品において、
前記第１止着シートの前記被止着部への止着強度は、前記第２止着シートの前記被止着部への止着強度よりも弱いことを特徴とする。
【００１０】
請求項５に記載の発明は、請求項１〜３の何れか一項に記載の吸収性物品において、
前記止着部が上下並列に複数連結して備えられ、各止着部同士は切り離し可能となっていることを特徴とする。
【００１１】
請求項６に記載の発明は、請求項１〜３に記載の吸収性物品において、
前記止着部の各々は、前記第１止着シート１つに対して、複数の前記第２止着シートを備えて成ることを特徴とする。
【発明の効果】
【００１２】
本発明によれば、吸収性物品において、止着部が、第１止着シートと、この第１止着シートの外面側に位置する第２止着シートと、を備え、第１止着シートと第２止着シートとが別々に前記被止着部に止着されるため、止着部の強度を向上させるとともに、止着位置の調整可能範囲の拡大を図ることができる。
【図面の簡単な説明】
【００１３】
【図１】本発明における使い捨て紙おむつを示す展開平面図である。
【図２】図１と裏表を逆にした平面展開図である。
【図３】図１のIII-III線における断面図である。
【図４】図１の使い捨て紙おむつを装着時の状態に組立てた斜視図である。
【図５】図１の使い捨て紙おむつの止着部を示す拡大模式図であり、（ａ）は止着前の状態、（ｂ）は止着時の状態を示す。
【図６】止着部の変形例を示す図である。
【図７】止着部の変形例を示す図である。
【発明を実施するための形態】
【００１４】
以下、本発明の実施の形態を、図面を参照しながら詳細に説明する。但し、発明の範囲は図示例に限られない。
【００１５】
図１は、本実施形態における吸収性物品としての使い捨て紙おむつ（以下、紙おむつという。）を展開した平面展開図である。また、図２は、図１と裏表を逆にした平面展開図である。また、図３は、図１のIII-III線における断面図である。また、図４は、図１の紙おむつを装着時の状態に組立てた斜視図である。また、図５は、図１の紙おむつにおける止着部２０を示す拡大模式図であり、（ａ）は止着前の状態、（ｂ）は止着時の状態を示している。
【００１６】
図１〜４に示すように、紙おむつ１は、紙おむつ本体である本体部１０と、本体部１０を人体に装着するための止着部２０、２０と、止着部２０を係止させるための被止着部３０とを備えて構成されている。すなわち、紙おむつ１は、止着部２０、２０を被止着部３０に止着することで装着する止着式の紙おむつである。
【００１７】
また、紙おむつ１は、装着時に人体の股部を腹側から背側にかけて覆うように形成されている。
具体的には、本体部１０の一方の端部が人体の腹側に位置する腹側部１１を形成し、他方の端部が人体の背側に位置する背側部１２を形成し、腹側部１１と背側部１２との間が人体の股下に位置する股下部１３を形成する。
また、腹側部１１において股下部１３よりも両外側に延出した腹側延出部１１１、１１１と、背側部１２において股下部１３よりも両外側に延出した背側延出部１２１、１２１と、は、紙おむつ１が装着された際に胴周り部１４を形成する。この際、背側部１２の胴周り方向に沿った縁部中央には、糸ゴム等の弾性部材１４１が幅方向に沿って設けられ、この弾性部材１４１により平面ギャザーが形成され、本体部１０は、着用者の胴周りにフィットするように伸縮自在な構成となっている。
また、股下部１３の両縁部は、腹側部１１から背側部１２に亘って、装着時に人体の脚周りを囲む脚周り部１５、１５を形成する。この脚周り部１５、１５には、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。
【００１８】
本体部１０は、人体との接触面側に設けられる透液性の不織布からなるトップシート１０ａと、装着時に人体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００１９】
トップシート１０ａは、紙おむつ１を装着した際に人体に接する面に設けられ、体液を受けて、吸収体１０ｃまで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレン等のフィルムシート材、透液性を有する織布、不織布が適し、特に不織布が適する。不織布としては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
【００２０】
バックシート１０ｂは、紙おむつ１を装着した際に人体に接する面と反対側の面に設けられ、体液などの紙おむつ１外部への染み出し、漏れ出しを防ぐ役割を果たす、不透液性のシートである。
不透液性シートとしては、例えば、ポリエチレンやポリプロピレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２１】
吸収体１０ｃは、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙、不織布、孔開きシート（図示略）等により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。吸収体１０ｃは、人体の腹側部１１から両脚の間の股下部１３を通り背側部１２に亘る位置に装着されている。
【００２２】
ギャザーシート１０ｄ、１０ｄは、トップシート１０ａ側において、吸収体１０ｃの長手方向に沿った両側部に、腹側部１１から背側部１２に亘ってそれぞれ備えられている。
このギャザーシート１０ｄ、１０ｄの幅方向外側の部分は、吸収体１０ｃの側方でトップシート１０ａの上面に固着されている。また、このギャザーシート１０ｄ、１０ｄの幅方向内側の部分は、トップシート１０ａに固定されておらず、その長手方向に沿って複数の糸ゴムが略平行に備えられており、断面略く字状及び逆く字状に立ち上がって着用者の体型に合わせて伸縮自在に変形可能な立体ギャザーが形成されている。
【００２３】
止着部２０、２０は、背側部１２の背側延出部１２１、１２１の左右側方において、それぞれ外側に向かって突出し、装着時には、腹側部１１のバックシート１０ｂ側に設けられた被止着部３０に止着可能となっている。
【００２４】
この左右一対の止着部２０、２０は、図１、３に示すように、それぞれ、第１止着シート２１と、第１止着シート２１の外面側に位置する第２止着シート２２と、を備えている。
ここで、「外面」とは、第１止着シート２１及び第２止着シート２２において被止着部３０と対向しない面を指す。また、「内面」とは、第１止着シート２１及び第２止着シート２２において被止着部３０と対向する面を指す。
第１止着シート２１及び第２止着シート２２は、その基端部２１ａ、２２ａが重ね合わされ、重ね合わされた基端部２１ａ、２２ａはトップシート１０ａ及びバックシート１０ｂにより狭持されて固着されている。
【００２５】
また、第１止着シート２１及び第２止着シート２２の自由端部２１ｂ、２２ｂは、それぞれ凸状に突出した形状となっており、当該自由端部２１ｂ、２２ｂの内面側には、面ファスナのオス材の係止要素であるファスニングテープ２３がそれぞれ備えられている。
第１止着シート２１及び第２止着シート２２の自由端部２１ｂ、２２ｂは、それぞれのファスニングテープ２３、２３により、別々に、被止着部３０に止着できるようになっている。従って、着用者に接する側の第１止着シート２１のファスニングテープ２３を止着した後、第２止着シート２２のファスニングテープ２３を止着することにより腹周り及び胴回りの調節が可能な構成となっている。
なお、本実施形態においては、第１止着シート２１の自由端部２１ｂは、第２止着シート２２の自由端部２２ｂよりも外側に突出するように形成されている。
【００２６】
また、第１止着シート２１の被止着部３０への止着強度は、第２止着シート２２の被止着部３０への止着強度よりも弱くなるよう構成されている。
【００２７】
また、第１止着シート２１及び第２止着シート２２は、トップシート１０ａと同様の不織布シートやプラスチックシート、プラスチックシートの両面に不織布を積層した不織布積層シートの他、既知の止着テープに用いられているシート材を用いて形成することができる。
具体的に、不織布シートとしては、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが挙げられる。また、プラスチックシートとしては、ポリプロピレン、ポリエチレン等の樹脂製シートが挙げられる。
しかしながら、第１止着シート２１は、装着時に着用者側に位置するため、第２止着シート２２よりも柔軟な素材で形成されることが好ましい。具体的には、例えば、第１止着シート２１は、綿、絹、コットン等からなる薄手のシートを用い、第２止着シート２２は、ポリエチレン、ポリプロピレン等からなる厚手のシートを用いることができる。これにより、第１止着シート２１により装着時のごわつき感をなくすとともに、第２止着シート２２により係止強度を維持することができるようになっている。
【００２８】
また、第２止着シート２２は、例えば、不織布等に第２止着シート２２の長手方向に沿って複数の糸ゴム等の弾性部材２４・・・を設けることで、長手方向に伸縮性を有するように形成されている。これにより、第２止着シート２２を係止する際の腹周りのフィット性が向上するとともに調節の範囲が拡大されることとなる。
【００２９】
被止着部３０は、腹側部１１における外面であるバックシート１０ｂ側に備えられる。
被止着部３０は、止着部２０、２０のファスニングテープ２３を係止するためのメス材の係止要素である係止層３１を備えて構成される。
係止層３１は、係止用不織布により構成されている。係止用不織布とは、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、係止層３１は、長繊維で構成されるスパンボンド不織布を用いるのが好ましい。これは、短繊維であるポイントボンド不織布やエアスルー不織布では繊維の長さが短いため抜けやすく、強度が不足するからであって、連続長繊維で構成され、カット面からのほつれが少なく、毛羽立ちによる繊維の脱落が少ないスパンボンド不織布が力学的性能や生産性といった点で優れるからである。
【００３０】
次に、紙おむつ１の装着方法について説明する。
着用者は、紙おむつ１を装着する場合、紙おむつ１の腹側部１１を腹側に、背側部１２を背側に、股下部１３を股下に当接させ、背側部１２の背側延出部１２１、１２１に設けられた止着部２０、２０を、腰回りを亘って腹側部１１に設けられた被止着部３０に係止させることによって紙おむつ１を装着する。
この際、先ず、左右の第１止着シート２１、２１によって紙おむつ１の左右を仮止めする。そして、第２止着シート２２、２２により、胴回りの位置や締め付け強度等の調整を行う。
つまり、止着部２０を２枚の第１止着シート２１、第２止着シート２２により構成することにより、着用者が横になった状態で第１止着シート２１を被止着部３０に仮止めした後、起き上がった状態で第２止着シート２２を被止着部３０に係止させることで、締め付け強度等の調整を行うことができる。
従って、横になった状態と起き上がった状態での紙おむつ１による圧迫感の差を着用者自ら軽減できる。この際、第１止着シート２１を固定した状態で、第２止着シート２２の付けなおしができるため、おむつの中心位置がずれることがない。
【００３１】
以上にように、本実施の形態による紙おむつ１によれば、止着部２０、２０が、第１止着シート２１と、この第１止着シート２１の外面側に位置する第２止着シート２２と、を備え、第１止着シート２１と第２止着シート２２とが別々に被止着部３０に止着されるため、止着部２０の強度を向上させるとともに、止着位置の調整可能範囲の拡大を図ることができる。
【００３２】
また、第１止着シート２１は、第２止着シート２２よりも柔軟な素材からなるため、人体との接触面の肌触りを良好にすることができ、装着感を向上させることができる。
また、第２止着シート２２は、長手方向に伸縮性を有するため、腹周りのフィット性が向上するとともに、止着位置の調整可能範囲の拡大を図ることができる。
【００３３】
また、第１止着シート２１の被止着部３０への止着強度は、第２止着シート２２の被止着部３０への止着強度よりも弱いため、第１止着シート２１にて仮止めをした場合、第１止着シート２１の付け替えが容易になって、使い勝手をより向上させることができる。
【００３４】
（変形例１）
次に、変形例１として、上記実施形態の変形例について図６を参照して説明する。
変形例１の基本的構成は上記実施形態と同様であるが、止着部２０は、上下並列に２つ連結して備えられ、各止着部同士は切り離し可能となっている。
【００３５】
具体的には、図６に示すように、止着部２０、２０がミシン目２５を挟んで上下並列に連結して備えられており、この上下並列な止着部２０、２０は、ミシン目２５に沿って上下に切り離し可能となっている。
このように構成することにより、止着部２０、２０をミシン目２５に沿って上下に切り離した場合、着用者の腹周りを広範囲に亘り締め付けることが可能であり、止着位置をより調整し易くすることができる。
また、ミシン目２５は、第１止着シート２１と第２止着シート２２のそれぞれに設けられており、第１止着シート２１のミシン目のみを切り離したり、第２止着シート２２のミシン目のみを切り離したりすることができるようになっている。
これにより、着用者の使用状態に合わせた使い方が可能となって、使い勝手が更に向上する。
なお、連結される止着部２０の数は、２つ以上であっても良い。また、複数の止着部２０を連結させる場合、止着部２０の幅は適宜設定される。
【００３６】
（変形例２）
次に、変形例２として、上記実施形態の変形例について図７を参照して説明する。
変形例２においても、基本的構成は上記実施形態と同様であるが、止着部２０は、１つの第１止着シート２１に対して、２つの第２止着シート２２、２２を備えて構成されている。
【００３７】
具体的には、図７に示すように、第１止着シート２１の外面側に、上下並列に連結させた２つの第２止着シート２２、２２が備えられており、２つの第２止着シート２２、２２はミシン目２５により切り離し可能となっている。
このような構成とすることにより、２つの第２止着シート２２、２２により着用者の腹周りをより確実に固定することができるとともに、止着位置をより調整し易くすることができる。
なお、第２止着シート２２の数は２つに限定されるものではなく、３つ以上とすることもできる。
【００３８】
その他、本発明に係る紙おむつ１は上記構成のものに限るものではなく、適宜変更可能である。
【００３９】
例えば、上記実施形態においては、第１止着シート２１の自由端部２１ｂが第２止着シート２２の自由端部２２ｂより外側に突出するように構成しているが、これを逆にしても良い。すなわち、第１止着シート２１を、第２止着シート２２と比較して短く形成することとしても良い。
この場合、第１止着シート２１により本体部１０の位置を固定し、第２止着シート２２の伸縮部を長くしてベルトのようにして使用することができる。
【００４０】
また、上記実施形態においては、第１止着シート２１は非伸縮性であり、第２止着シート２２には伸縮性を有する構成を例示して説明しているが、伸縮性とする部位は、第１止着シート２１及び第２止着シート２２の寸法（長さや幅の設定）に応じて適宜設定可能である。例えば、第１止着シート２１及び第２止着シート２２のどこか一部に伸縮性を付与しても良いし、第１止着シート２１及び第２止着シート２２の全てを伸縮性としても良い。
【符号の説明】
【００４１】
１    使い捨て紙おむつ（吸収性物品）
１０  本体部
１１  腹側部
１２  背側部
１３  股下部
２０  止着部
２１  第１止着シート
２２  第２止着シート
２３  ファスニングテープ
２４  弾性部材
２５  ミシン目
３０  被止着部
【図１】
2010220646.tif 000003
【図２】
2010220646.tif 000004
【図３】
2010220646.tif 000005
【図４】
2010220646.tif 000006
【図５】
2010220646.tif 000007
【図６】
2010220646.tif 000008
【図７】
2010220646.tif 000009